(57)【要約】      （修正有）【課題】緊急時において水門の開閉用の扉体を手動でしかも時間をかけずに短い時間で水密性を高めながら簡単に開閉できる小型水門ゲートの開閉機構を提供する。【解決手段】水門を開閉する扉体１の裏面１ａに、開閉作動部材取付具２を回動自在に軸支し、開閉作動部材取付具２の先端側に作動部材軸受可動盤２５を上下軸芯回りに回動自在に設け、作動部材軸受可動盤２５に軸孔を形成し、先端側が回動自在に軸孔に貫通し且つ把持部３２を後部側に有する開閉作動部材３を開閉作動部材取付具２に取り付け、開閉作動部材３の先端部分３１を丸みを帯びた形状に形成し、先端部分３１と凹凸係合する受溝４１が側面に形成された開閉作動部材受片４を枠体の後部側に出し入れ自在に設け、ロック片３３を開閉作動部材３の先端側の側周面に形成した。【選択図】図１０
0003204475.tif 000002
【実用新案登録請求の範囲】
【請求項１】
横向きに回動して水門を開閉する扉体の裏面に、開閉作動部材取付具を横向き回動自在に軸支し、基端側を中心に回動する開閉作動部材取付具の先端側に作動部材軸受可動盤を上下軸芯回りに回動自在に設け、作動部材軸受可動盤に横向きに貫通する軸孔を形成し、折曲された先端側が軸芯回りに回動自在に軸孔に貫通し且つ先端側を可動操作する把持部を後部側に有する開閉作動部材を開閉作動部材取付具に取り付け、開閉作動部材の先端部分を丸みを帯びた形状に形成し、開閉作動部材の丸みを帯びた先端部分と凹凸係合する受溝が側面に形成された開閉作動部材受片を扉体の裏面の周縁と密着する枠体の後部側に出し入れ自在に設け、開閉作動部材の先端部分が受溝に凹凸係合状態で軸芯回りに所定の回動角度で、受溝の溝開口外周縁に近接する箇所に出現する側面を有するロック片を開閉作動部材の先端側の側周面に形成したことを特徴とする小型水門ゲートの開閉機構。
【請求項２】
横向きに回動して水門を開閉する扉体の裏面に、開閉作動部材取付具を横向き回動自在に軸支し、基端側を中心に回動する開閉作動部材取付具の先端側に作動部材軸受可動盤を上下軸芯回りに回動自在に設け、作動部材軸受可動盤に横向きに貫通する軸孔を形成し、折曲された先端側が軸芯回りに回動自在に軸孔に貫通し且つ先端側を可動操作する把持部を後部側に有する開閉作動部材を開閉作動部材取付具に取り付け、開閉作動部材の先端部分を丸みを帯びた形状に形成し、開閉作動部材の丸みを帯びた先端部分と凹凸係合する受溝が側面に形成された開閉作動部材受片を扉体の裏面の周縁と密着する枠体の後部側に出し入れ自在に設け、開閉作動部材の先端部分が受溝に凹凸係合状態で軸芯回りに所定の回動角度で、受溝の溝開口外周縁に近接する箇所に出現する側面を有するロック片を開閉作動部材の先端側の側周面に形成し、先端側に下向きに折曲形成された鉤片で開閉作動部材取付具を扉体の裏面側に係止する取付具着脱係止片を、扉体の裏面に上下向きに回動自在に軸支したことを特徴とする小型水門ゲートの開閉機構。
【請求項３】
先端側の下面に形成された係止溝で扉体の把手を係合して開いている扉体を保持する扉体係止片を設けた請求項１又は請求項２記載の小型水門ゲートの開閉機構。
【請求項４】
取付具着脱係止片の先端側に下向きに折曲形成された鉤片の外角側を、水平状態で扉体の裏面側に向けて斜め下向きの傾斜面に形成した請求項２記載の小型水門ゲートの開閉機構。
【考案の詳細な説明】
【技術分野】
【０００１】
この考案は、水門を開閉する扉体を手動で開閉する小型水門ゲートの開閉機構に係り、特に、緊急時において水門の開閉用の扉体を手動でしかも時間をかけずに短い時間で簡単に開閉できるようにした小型水門ゲートの開閉機構に関するものである。
【背景技術】
【０００２】
水門を開閉するために水門に設置される扉体のなかには、手動で簡単に開閉できる程度の小型のものがある。
水門にあっては扉体を閉じた際には水密性が必須である。このため、水門ゲートの開閉機構は水密性を高めるために、水門に設置される扉体に附属されたハンドルを回して扉体の周縁を水門の枠体に圧着させて水密を行っている。附属のハンドルを何回も回すことで小さい力でも、扉体の周縁を水門の枠体に大きな圧力で圧着して密着させることが可能となり、密着する扉体の周縁の水密性を高めている。
【先行技術文献】
【特許文献】
【０００３】
【特許文献１】特開２０１４−１０９１６８
【考案の概要】
【考案が解決しようとする課題】
【０００４】
しかしながら、緊急時において、水門に設置される扉体に附属されたハンドルを何回も回して扉体を水門の枠体に密着させて閉める場合、ハンドルを回すのに数十秒前後もかかり、その結果、瞬時に扉体の周縁を枠体に密着させて水密性を高めて、外部から海水や河川水の侵入を防ぐことが出来ない場合がある。
【０００５】
この考案は、上記のような課題に鑑み、その課題を解決すべく創案されたものであって、その目的とするところは、緊急時において水門の開閉用の扉体を手動でしかも時間をかけずに短い時間で水密性を高めながら簡単に開閉できる小型水門ゲートの開閉機構を提供することにある。
【課題を解決するための手段】
【０００６】
以上の課題を達成するために、請求項１の考案は、横向きに回動して水門を開閉する扉体の裏面に、開閉作動部材取付具を横向き回動自在に軸支し、基端側を中心に回動する開閉作動部材取付具の先端側に作動部材軸受可動盤を上下軸芯回りに回動自在に設け、作動部材軸受可動盤に横向きに貫通する軸孔を形成し、折曲された先端側が軸芯回りに回動自在に軸孔に貫通し且つ先端側を可動操作する把持部を後部側に有する開閉作動部材を開閉作動部材取付具に取り付け、開閉作動部材の先端部分を丸みを帯びた形状に形成し、開閉作動部材の丸みを帯びた先端部分と凹凸係合する受溝が側面に形成された開閉作動部材受片を扉体の裏面の周縁と密着する枠体の後部側に出し入れ自在に設け、開閉作動部材の先端部分が受溝に凹凸係合状態で軸芯回りに所定の回動角度で、受溝の溝開口外周縁に近接する箇所に出現する側面を有するロック片を開閉作動部材の先端側の側周面に形成した手段よりなるものである。
【０００７】
また、請求項２の考案は、横向きに回動して水門を開閉する扉体の裏面に、開閉作動部材取付具を横向き回動自在に軸支し、基端側を中心に回動する開閉作動部材取付具の先端側に作動部材軸受可動盤を上下軸芯回りに回動自在に設け、作動部材軸受可動盤に横向きに貫通する軸孔を形成し、折曲された先端側が軸芯回りに回動自在に軸孔に貫通し且つ先端側を可動操作する把持部を後部側に有する開閉作動部材を開閉作動部材取付具に取り付け、開閉作動部材の先端部分を丸みを帯びた形状に形成し、開閉作動部材の丸みを帯びた先端部分と凹凸係合する受溝が側面に形成された開閉作動部材受片を扉体の裏面の周縁と密着する枠体の後部側に出し入れ自在に設け、開閉作動部材の先端部分が受溝に凹凸係合状態で軸芯回りに所定の回動角度で、受溝の溝開口外周縁に近接する箇所に出現する側面を有するロック片を開閉作動部材の先端側の側周面に形成し、先端側に下向きに折曲形成された鉤片で開閉作動部材取付具を扉体の裏面側に係止する取付具着脱係止片を、扉体の裏面に上下向きに回動自在に軸支した手段よりなるものである。
【０００８】
ここで、請求項１，２の好ましい態様として、先端側の下面に形成された係止溝で扉体の把手を係合して開いている扉体を保持する扉体係止片を設けた。また、請求項２の好ましい態様として、取付具着脱係止片の先端側に下向きに折曲形成された鉤片の外角側を、水平状態で扉体の裏面側に向けて斜め下向きの傾斜面に形成した。
【考案の効果】
【０００９】
課題を解決するための手段よりなる請求項１の考案によれば、水門の扉体を閉じた後、受溝が形成された開閉作動部材受片を取り出し、扉体の裏面側に取り付けられている開閉作動部材取付具を基端側を支点として扉体の後方側に回動させ、さらに開閉作動部材取付具に取り付けられている開閉作動部材の把持部を掴んで後方側に引いて回動させると、開閉作動部材の先端部分が開閉作動部材受片の受溝に凹凸係合することで、扉体は開閉作動部材取付具によって後方に向けて引っ張られ、扉体の周縁は枠体に圧着して、水密性が高められる。このように、開閉作動部材の把持部を後方に引くのみの簡単な動作でしかも短い時間で、閉じた扉体の水密性を高めて扉体の周縁からの海水や淡水の漏水による流入を確実に阻止することができる。さらに、把持部を所定角度回すことで、ロック片によって開閉作動部材の先端部分が受溝から抜け出るのを確実に防ぐことができる等、極めて実用的有益なる効果を奏するものである。
また、請求項２の考案によれば、上記の効果に加えて、扉体の裏面側に取り付けられている開閉作動部材取付具は、取付具着脱係止片によって確実に扉体の裏面側に係止されるので、扉体の開閉時に開閉作動部材取付具が裏面側から不意に外れて開閉の妨げとなることもない。
また、請求項３の考案の場合には、扉体係止片により扉体を開いた状態に保持することができる。
また、請求項４の考案の場合には、開閉作動部材取付具を扉体の裏面側に取り付けるとき、回動する開閉作動部材取付具の側部を取付具着脱係止片の先端に押し当てるのみで、鉤片の先端側が一旦上向きに回動し開いて受け入れたあと、下向きに回動して戻ることで、開閉作動部材取付具を扉体の裏面側に自動的に係止させることができる。
【図面の簡単な説明】
【００１０】
【図１】（Ａ）〜（Ｃ）はこの考案を実施するための形態を示す小型水門ゲートの開閉機構の閉じる状態の平面図である。
【図２】（Ａ）はこの考案を実施するための形態を示す小型水門ゲートの開閉機構の扉体の平断面図、同図（Ｂ）は同図（Ａ）の扉体の正面図である。
【図３】（Ａ）はこの考案を実施するための形態を示す小型水門ゲートの開閉機構を作動させた状態での扉体の平断面図、同図（Ｂ）は同図（Ａ）の扉体を裏面側からみた正面図、同図（Ｃ）は同図（Ｂ）の側面図である。
【図４】（Ａ）はこの考案を実施するための形態を示す小型水門ゲートの開閉機構の枠体の平面図、同図（Ｂ）は同図（Ａ）の正面図である。
【図５】（Ａ）はこの考案を実施するための形態を示す小型水門ゲートの開閉機構の開閉作動部材取付具に閉じた状態で取り付けられた開閉作動部材の平面図、同図（Ｂ）は同図（Ａ）で開閉作動部材が開いた状態で取り付けられた開閉作動部材の平面図、同図（Ｃ）は同図（Ｂ）の側面図である。
【図６】この考案を実施するための形態を示す小型水門ゲートの開閉機構を作動させて扉体を完全に閉めた状態の要部平面図である。
【図７】（Ａ）はこの考案を実施するための形態を示す小型水門ゲートの開閉機構の開閉作動部材受片の平面図、同図（Ｂ）は収納所に収納された開閉作動部材受片の正面図、同図（Ｃ）は収納所から平面状に傾いた開閉作動部材受片の平面図、同図（Ｄ）は同図（Ｃ）の一部省略した側面図である。
【図８】（Ａ）はこの考案を実施するための形態を示す小型水門ゲートの開閉機構の扉体裏面に取り付けられた取付具着脱係止片の側面図、同図（Ｂ）は同図（Ａ）のＢ−Ｂ矢視図、同図（Ｃ）は取付具着脱係止片の側面図である。
【図９】（Ａ）はこの考案を実施するための形態を示す小型水門ゲートの開閉機構の扉体係止片の側面図、同図（Ｂ）は同図（Ａ）の平面図、同図（Ｃ）は扉体係止片で全開状態の扉体を係止している部分平面図である。
【図１０】（Ａ）〜（Ｃ）はこの考案を実施するための形態を示す小型水門ゲートの開閉機構の要部の動作説明図である。
【考案を実施するための形態】
【００１１】
以下、図面に記載の考案を実施するための形態に基づいて、この考案をより具体的に説明する。
【００１２】
図において、水門には海水や淡水の流入を防ぐために扉体１が取り付けられている。この考案では、扉体１は、手で開閉できる小型のもので、その一方の側端側に取り付けられた蝶番１１を支点として前後方向に横向きに回動しながら、水門を開閉する構造のものが使用されている。小型の扉体１は方形の形状しており、海水や淡水に臨む側には方形の鋼板が配置され、その裏面１ａ側の上下左右の周縁側は縁枠桁１ｂで補強されている。
【００１３】
この小型の扉体１が取り付けられた水門には、枠体１２が設けられている。また、水門を閉じた扉体１の裏面１ａ側の周縁側の上下左右端側には縁枠桁１ｂが設けられ、そのうち左右両側端側及び下端側の縁枠桁１ｂには枠体１２と密着して水密性を計るために水密ゴム１ｃが取り付けられている。水門の枠体１２は、方形の扉体１の形状に対応しており、扉体１の周縁側のうち、その左右両側端側と下端側に対応する３辺箇所に設けられている。
【００１４】
扉体１を閉めたとき陸側となる扉体１の裏面１ａ側には、開閉作動部材取付具２、開閉作動部材取付具２に取り付けられた開閉作動部材３、開閉作動部材取付具２を扉体１の裏面１ａ側に係止する取付具着脱係止片５などが取り付けられている。また、蝶番１１が取り付けられた側の向かい側の枠体１２側には、開閉作動部材３の先端部分３１が挿入係合される受溝４１を備えた開閉作動部材受片４が設けられている。
【００１５】
扉体１の裏面１ａ側に取り付けられた開閉作動部材取付具２は、基端側を支点としてその先端側が扉体１の裏面１ａ側から離れ、水門の枠体１２に設けられた開閉作動部材受片４側に向けて、横向きの例えば水平向きに回動するように可動自在に取り付けられている。この開閉作動部材取付具２には開閉作動部材３が取り付けられている。
【００１６】
開閉作動部材取付具２は、上下に並設された一対の上板片２１及び下板片２２、基端側の連結盤２３及び垂直軸２４、先端側に設けられた作動部材軸受可動盤２５などから構成されている。開閉作動部材取付具２は扉体１の裏面１ａ側で基端側の垂直軸２４を支点として、その全体が横向きの例えば水平向きに回動する。
【００１７】
開閉作動部材取付具２の上板片２１及び下板片２２は基端側寄りの上下間に取り付けられた連結盤２３で連結されている。連結盤２３の前方側となる基端側には上下向きの垂直軸２４が連結して設けられている。この垂直軸２４はその側面に連結盤２３を水平に貫通する連結軸２３ａの先端側が連結されている。つまり、垂直軸２４はこの連結軸２３ａを介して連結盤２３に連結されている。この連結軸２３ａには例えばネジ棒が使用され、両者の間隔が調整可能になっている。
【００１８】
上下向きの垂直軸２４は、その上下両端側が扉体１の裏面１ａ側から上下に離間して取り付けられた上下の各軸受片２４ａに回動自在に軸支されている。垂直軸２４は、この連結軸２３ａを介して、連結盤２３、上板片２１及び下板片２２、作動部材軸受可動盤２５などと一体的に連結している。開閉作動部材取付具２はこの基端側の垂直軸２４を支点として、扉体１の裏面１ａ側で後方に向けて横向きの例えば水平向きに回動する。
【００１９】
作動部材軸受可動盤２５は、垂直軸２４に連結された側の反対側となる開閉作動部材取付具２の先端側に設けられている。作動部材軸受可動盤２５は開閉作動部材取付具２の先端側の上板片２１と下板片２２の間に、上下軸芯回りに回動自在に取り付けられている。この作動部材軸受可動盤２５の中央には横向きの例えば水平向きに貫通する軸孔２５ａが形成されている。この軸孔２５ａには「へ字状」に折曲された開閉作動部材３の先端側が挿通して、その部材の軸芯回りに回動自在に軸支されている。
【００２０】
開閉作動部材３は、扉体１の開閉の際に操作され、特に閉じられた扉体１が開かないように瞬時に固定する機能を果たし、上記したように開閉作動部材取付具２に取り付けられている。開閉作動部材３は、その先端部分３１が開閉作動部材受片４の受溝４１に挿入係合されて、水門を閉じた扉体１を開閉作動部材受片４を介して水門の枠体１２側に圧着して固持させる。開閉作動部材３は、不使用時には開閉作動部材取付具２の上下に並設された一対の上板片２１及び下板片２２の側に配置される。
【００２１】
開閉作動部材３は断面円形の丸棒状部材からなり、開閉作動部材受片４の受溝４１に係合されるその先端部分３１は半円球状に近い丸みを帯びた形状に形成されている。丸棒状の開閉作動部材３は操作し易いように先が「へ字状」に折曲されている。開閉作動部材３の折曲された先端側を除く後半部分は真っ直ぐに延びた把持部３２になっていて、作業員はこの把持部３２を掴んで開閉作動部材３を操作する。
【００２２】
開閉作動部材３はその先端側が例えば１２０度角度で「へ字状」に折曲されている。この折曲された先端側は、開閉作動部材取付具２の回動する先端側に設けられた上記作動部材軸受可動盤２５の横向きの例えば水平向きの軸孔２５ａを挿通して取り付けられ、その部材の軸芯回りに回動自在に軸支されている。開閉作動部材３の先端側及び「へ字状」の開閉作動部材３の全体は、作動部材軸受可動盤２５の軸孔２５ａを中心として、その部材の軸芯回りとなる例えば水平軸芯回りに９０度の角度で正逆回転する。
【００２３】
つまり、開閉作動部材３の先端側及び「へ字状」の開閉作動部材３の全体は、例えば水平向きと垂直な上向きとの間を正逆回転するようになっていて、「へ字状」に折曲された開閉作動部材３が９０度回転してその後半部分が上向きに延びた状態になったとき、閉じた扉体１は固持されて開くことのないロック状態になる。９０度逆向きに回転して開閉作動部材３の全体が横向きの例えば水平向きになっているときには、閉じた扉体１はロック解除可能な状態となる。
【００２４】
開閉作動部材３は、不使用時やロック解除可能な状態では、平面からみて、その全体の形状が「へ字状」の状態にある。そして、開閉作動部材３の折曲された先端側は開閉作動部材取付具２の先端側の作動部材軸受可動盤２５の軸孔２５ａを挿通しており、その後半部の真っ直ぐに延びる把持部３２は開閉作動部材取付具２の上板片２１及び下板片２２の側面に並行して配置されている。
【００２５】
開閉作動部材３は、「へ字状」に折曲された先端側のうち作動部材軸受可動盤２５の軸孔２５ａより前方に突出側の円形の側周面に、１８０度の間隔でロック片３３がそれぞれ突出形成されている。開閉作動部材３の先端側の側周面に形成された各ロック片３３は、不使用時やロック解除可能な状態の横向きの例えば水平向きで上下両側に位置し、把持部３２が上向きに延びたロック状態で左右両側に位置する。
【００２６】
開閉作動部材３の先端側のロック片３３はその一側面が、その先端部分３１が開閉作動部材受片４の受溝４１に挿入係合されて所定の回動角度、例えば上向きに９０度回転された際、受溝４１の溝開口外周縁４１ａに平行な状態で近接する位置になって、閉じている扉体１が開かないロック状態にする。
【００２７】
つまり、開閉作動部材３の先端部分３１が受溝４１から万が一抜けようとする力が働いた場合には、片方のロック片３３の一側面が受溝４１の溝開口外周縁４１ａに当接し、先端側が挿通された作動部材軸受可動盤２５が回動するのを阻止し、開閉作動部材３の先端部分３１が受溝４１から抜け出るのを防ぐ機能を果たす。
【００２８】
これは、開閉作動部材３の先端部分３１は、開閉作動部材受片４の受溝４１に挿入時、受溝４１に対して、横向きに傾いた状態で入り始め、完全に入った状態で真っ直ぐになる。同様に逆に受溝４１から抜き出るときは、始めの真っ直ぐな状態から徐々に横向きに傾いた状態になって抜け出る。先端部分３１が抜け出し始める横向きの傾いた状態のとき、開閉作動部材３の先端側の側周面と受溝４１の溝開口外周縁４１ａとの一方側の角度は、９０度より小さい鋭角になる。
【００２９】
ロック状態では、この鋭角になる側のロック片３３の一側面が同じ側にある受溝４１の溝開口外周縁４１ａに、先端部分３１が僅かに受溝４１から抜け始めて横向きに傾き始めると同時に先に当接するので、先端部分３１はそれ以上横向きに傾くことができず、抜け出るに必要な或る角度に達せず、開閉作動部材３の先端部分３１は開閉作動部材３の受溝４１から抜け出ることができなくなるのである。
【００３０】
一方ロック解除状態では、開閉作動部材３の側周面に突起されたロック片３３は所定の回動角度、例えば９０度逆向きに回転して、受溝４１の溝開口外周縁４１ａに当接しない位置に離れるため、受溝４１に挿入係合されていた先端部分３１は始めの真っ直ぐな状態から徐々に横向きに傾いた状態になって抜け出ることができるのである。
【００３１】
開閉作動部材受片４は、開閉作動部材３の先端部分３１が挿入係合されることで、扉体１を閉じた状態に固定する機能を果たす。開閉作動部材受片４は、蝶番１１が取り付けられた側の向かい側の枠体１２の内側後部、つまり水門を閉めたとき、扉体１の周縁が密着する枠体１２の外側の反対側となる内側後部に、扉体１の裏面１ａ側の後方部分に向かって出し入れ自在に取り付けられている。
【００３２】
開閉作動部材受片４は板片から形成され、下部側を支点として上向きから水平向きの間で仰角回動自在に収納所４２に収納及びそこから取り出し可能になっている。上向き時に下端となる板片の基端には断面が円形の回動軸４３が横向き固着されている。回動軸４３はその両端が板片の両側端よりそれぞれ両側方に突出し、収納所４２の両側面に軸支されている。開閉作動部材受片４が収納される収納所４２は枠体１２の内側後方に設けられている。
【００３３】
この収納所４２の近くの扉体１の裏面１ａ側に開閉作動部材取付具２に取り付けられた開閉作動部材３が配置されている。扉体１閉塞の使用時には開閉作動部材受片４は、収納所４２から回動軸４３を支点として下向きに回動して取り出され、収納所４２の水平な下面に当接して水平に傾いた状態で先端側が突出し、不使用時には上向きの状態となって収納所４２に収納される。
【００３４】
開閉作動部材受片４は、板片の一側端面の先端側近くに開閉作動部材３の先端部分３１が挿入係合される受溝４１が形成されている。水平状態に傾いて扉体１の裏面１ａ側の後方に突出する開閉作動部材受片４の板片は、閉じられた扉体１の裏面１ａ側に平行になるが、受溝４１は扉体１の裏面１ａ側より遠い側の板片の一側端面の先端側近くに形成されている。また、水平に傾いたときに下面となる受溝４１の近くの板片の一面側には、突起片４４が形成されている。
【００３５】
開閉作動部材受片４の受溝４１は、開閉作動部材３の半円球状に近い丸みを帯びた先端部分３１が挿入係合できるように、半円形の凹状の形状に形成されている。受溝４１は半円球状に近い丸みを帯びた凸状の先端部分３１に対応した凹状の形状に形成され、開閉作動部材３の先端部分３１が受溝４１内で遊嵌状態になることはない。板片の一側端面で受溝４１の開口外周縁となる両側面は平坦面に形成されている。
【００３６】
開閉作動部材３の使用時には、受溝４１の溝開口外周縁４１ａの両側端面には先端側の両側周面に突設された各ロック片３３が近接している。受溝４１の溝開口外周縁４１ａの側端面は、開閉作動部材３の先端部分３１が受溝４１から抜けようとしたとき、前述したようにロック片３３の一側面が直ぐに当接しこのロック片３３を押し止めることで、抜け出ることを防いで、扉体１の周縁と枠体１２との水密性が低下するのを阻止している。
【００３７】
扉体１の裏面１ａには取付具着脱係止片５が取り付けられている。取付具着脱係止片５は、開閉作動部材３を取り付けた開閉作動部材取付具２が不使用時に基端側の垂直軸２４を支点として扉体１の裏面１ａから離れ後方側に向け水平旋回して開くのを阻止して、開閉作動部材取付具２を扉体１の裏面１ａ側に係止する機能を果たす。
【００３８】
取付具着脱係止片５は板片の先端側が下向きに例えば直角に折曲された鉤片５１が形成されている。その下向きに折曲されている鉤片５１の内角側５１ａが、開閉作動部材３を取り付けた開閉作動部材取付具２の上板片２１を跨いだ側にある扉体１の裏面１ａより遠い側の上板片２１のもう一方の側端面に上側から引っ掛かることで、取付具着脱係止片５は開閉作動部材取付具２が開くのを阻止している。また、係止した開閉作動部材取付具２がそこから外れるのを確実に防ぐために、鉤片５１の突端５１ｂはさらに内側に例えば直角に折曲されている。
【００３９】
取付具着脱係止片５は、鉤片５１が形成された先端側の反対側となる基端側５２が、扉体１の裏面１ａに突設された軸受け５３に、水平から上向きの仰角の範囲で上下回りに回動自在に軸支されている。この軸受け５３の下部に形成された下板５３ａは水平に形成されており、取付具着脱係止片５はその板片の下面側が軸受け５３の下板５３ａに当接することで、水平向きになる。
【００４０】
取付具着脱係止片５の鉤片５１が形成された先端側はその自重により基端側を支点として常に上向きから水平向き回動するモーメント力が作用し、水平状態で止まるようになっている。この力を利用して、取付具着脱係止片５は鉤片５１が上板片２１の一側端面を係止することで、開閉作動部材取付具２が扉体１の裏面１ａより離れた向きに開くのを阻止している。
【００４１】
すなわち、取付具着脱係止片５は自重により、その板片の下面が開閉作動部材取付具２の上板片２１の上面を横断して上側から下向きに当接し、これにより下向きに曲がっている鉤片５１の内角側５１ａが扉体１の裏面１ａより遠い側の上板片２１の側端面に当接して、開閉作動部材取付具２が扉体１の裏面１ａ側から離れる向きに開くのを阻止する。
【００４２】
また、取付具着脱係止片５の先端に形成された鉤片５１の外角側５１ｃは、水平状態で扉体１の裏面１ａ側に向けて斜め下向き例えば４５度の角度の傾斜面に形成されている。これは、不使用時に開閉作動部材取付具２を扉体１の裏面１ａ側に戻す場合、取付具着脱係止片５の下向きに曲がる鉤片５１側を自動的に押し上げることができるようにするためである。
【００４３】
すなわち、扉体１の裏面１ａ側に戻す開閉作動部材取付具２の上板片２１の裏面１ａ寄りの側端面が先端の鉤片５１の外角側５１ｃの傾斜面に当たると、その傾斜面に沿って取付具着脱係止片５の先端側が水平向きから上向きに自動的に押し上げられる。開閉作動部材取付具２はその上板片２１の幅方向が、押し上げられた鉤片５１の下向きに曲げられた下端の突端５１ｂの下側を通過する。
【００４４】
すると、取付具着脱係止片５の先端の鉤片５１は斜め上向きの状態から水平向きに下がり、鉤片５１の下向きに曲がる内角側５１ａが上板片２１の裏面１ａから遠い側の側端面に当接して、開閉作動部材取付具２が勝手に開くのを阻止するのである。また、このとき、鉤片５１の下端の突端５１ｂの上面側に開閉作動部材取付具２の下板片２２の下面の一部が係止される。
【００４５】
扉体１の上辺の縁枠桁１ｂの中央には、下向きにコ字型の把手１ｄが取り付けられている。また、完全に開いた状態の扉体１を係止する扉体係止片１３が、蝶番１１が設けられた側の水門壁面に設けられている。扉体係止片１３はその基端側が水門壁面の上端側に取り付けられた軸受け１４に、上下向きに回動自在に軸支されている。扉体係止片１３の先端側の下面には、コ字型の把手１ｄの水平向きの棒状部分と係合する係止溝１３ａが形成されている。
【００４６】
すなわち、蝶番１１を支点として１８０度の完全に水門を開いた状態の扉体１の把手１ｄに向かって上側から下向きに扉体係止片１３を降ろすと、先端側の下面に形成された係止溝１３ａが把手１ｄの水平部分に上側から係合して、把手１ｄの水平部分は係止溝１３ａ内の両側面の間に挟まれた状態になる。扉体１は把手１ｄが扉体係止片１３によって係合されて係止されることで、完全に開いた状態に維持される。
【００４７】
扉体係止片１３には例えば重い鋼板の板片が使用されているので、扉体係止片１３はその自重によって簡単に上向きに回動することはなく、開いている扉体１が独りでに突然に閉まることはない。扉体１を閉める場合には、作業員が手で扉体係止片１３の先端側を持ち上げて、係止溝１３ａを把手１ｄの上方に移動させて係合状態を解除し、扉体１を１８０度回すことで水門は閉められる。
【００４８】
次に、上記考案を実施するための形態の構成に基づく動作について以下説明する。
緊急時において、直ちに水門の扉体１を閉じる必要が生じた場合、完全に開いている扉体１を係止させていた扉体係止片１３の先端側を持ち上げて、先端側の下面に形成されていた係止溝１３ａを扉体１の把手１ｄの上方に移動させる。これにより、扉体１の把手１ｄは扉体係止片１３との係合状態が解除され、把手１ｄを掴んで、扉体１を１８０度回して、水門の枠体１２に向けて扉体１を閉じる。
【００４９】
つぎに、蝶番１１が取り付けられた側の反対側に設けられた枠体１２の内側後方の収納所４２に収納されていた開閉作動部材受片４を扉体１の裏面１ａ側に向けて倒す。開閉作動部材受片４は下端側の回動軸４３を支点として全体が手前側に回転して倒れ水平状態になる。開閉作動部材受片４は扉体１の裏面１ａ側の近くでこれに平行な状態になる。
【００５０】
続いて、扉体１の裏面１ａ側に、開閉作動部材３を取り付けた開閉作動部材取付具２を係止していた取付具着脱係止片５の先端側を持ち上げ、垂直軸２４を支点として開閉作動部材取付具２を水平状態に傾いて現出した開閉作動部材受片４側に向けて水平回動させる。水平回動した開閉作動部材取付具２はその先端側の上板片２１が開閉作動部材受片４の受溝４１の上方近くに到達する。同様に上板片２１の下方に並設された下板片２２が開閉作動部材受片４の受溝４１の下方近くに到達する。つまり、水平状態の開閉作動部材受片４の先端側は水平向きに回動してきた上板片２１と下板片２２との間に入った状態になる。
【００５１】
開閉作動部材取付具２の上板片２１及び下板片２２の先端側には作動部材軸受可動盤２５が設けられており、回動してきた作動部材軸受可動盤２５は扉体１の裏面１ａからみて開閉作動部材受片４の受溝４１の斜め後方側に到達する。そのころをみはらかって、開閉作動部材取付具２の側方位置で一体となって回動してきた開閉作動部材３の把持部３２を掴んで、扉体１の裏面１ａから離れる後方側に向けて水平回動させる。
【００５２】
開閉作動部材３の「へ字状」に折曲された先端側は作動部材軸受可動盤２５の軸孔２５ａを挿通しており、軸孔２５ａを貫通している丸みを帯びた先端部分３１は把持部３２を後方側に向けて水平回動させることで、作動部材軸受可動盤２５が上下軸芯回りに回動する。軸孔２５ａを貫通している丸みを帯びた先端部分３１は、作動部材軸受可動盤２５の回動と一体的に回動して、開閉作動部材受片４の受溝４１から離れた位置より受溝４１に接近し、その一部が受溝４１内に横向きに傾いた状態で挿入して係合し始める。
【００５３】
さらに、休むことなく続けて開閉作動部材３の把持部３２を後方側に向けて水平回動させると、横向きに傾いた状態で開閉作動部材受片４の受溝４１に挿入し始めていた開閉作動部材３の先端部分３１は、横向きに傾いた状態から受溝４１に対して真っ直ぐな状態に変動して、受溝４１にしっかりと挿入係合される。
【００５４】
この状態になると、水門の扉体１の縁枠桁１ｂの裏面側に取り付けられた水密ゴム１ｃは枠体１２の表面に圧着されて、水密性が計られることになり、扉体１は海水或いは淡水の侵入を確実に阻止することが可能となる。このとき、水門を閉じた扉体１は、開閉作動部材取付具２により後方に向けて引っ張られることで、枠体１２に圧着されるのである。また、開閉作動部材受片４の受溝４１と、開閉作動部材３の先端部分３１、先端側、及び作動部材軸受可動盤２５の軸孔２５ａは同一直線の延長上に位置する。
【００５５】
このあと、開閉作動部材受片４の受溝４１に挿入係合された開閉作動部材３の丸みを帯びた先端部分３１が受溝４１から抜け出ないように、開閉作動部材３の把持部３２を所定の回動角度、例えば直角な上向きに９０度回してロック状態にする。上記したように、開閉作動部材受片４の受溝４１と、開閉作動部材３の先端部分３１、先端側、及び作動部材軸受可動盤２５の軸孔２５ａは同一直線の延長上に位置するので、作動部材軸受可動盤２５の軸孔２５ａを挿通する開閉作動部材３の先端側は軸孔２５ａの軸芯回りに９０度軸転し、又受溝４１に挿入係合された半円球状に近い丸みを帯びた先端部分３１も軸芯回りに９０度軸転する。
【００５６】
ところで、開閉作動部材３の先端側の両側周面にはロック片３３が突出形成されているが、先端部分３１の受溝４１内への挿入係合時には両ロック片３３は先端側の側周面の上下に位置して、先端部分３１が受溝４１から抜け出るような事態が生じた場合、ロック片３３はそれを阻止するようには機能しない。
【００５７】
開閉作動部材３の先端側を所定の回動角度、例えば９０度軸転させてロック状態にすることで、先端側の側周面の上側に位置していたロック片３３は９０度下向きに回転し、また側周面の下側に位置していたロック片３３は９０度上向きに回転して、受溝４１の溝開口外周縁４１ａの両側に各ロック片３３の一側面が近接する。
【００５８】
開閉作動部材３の先端側の側周面に形成されたロック片３３が開閉作動部材受片４の受溝４１の溝開口外周縁４１ａに近接するロック状態になることで、ロック片３３は開閉作動部材３の先端部分３１が受溝４１から抜け出るのを阻止する機能を果たすことになる。
【００５９】
これは、開閉作動部材３の先端部分３１が開閉作動部材受片４の受溝４１から抜き出るときは、始めの真っ直ぐな状態から徐々に横向きに傾いた状態になって抜け出る。先端部分３１が抜け出るために横向きに傾いた状態になるとき、開閉作動部材３の先端側の側周面と受溝４１の溝開口外周縁４１ａとの一方側の角度は、９０度より小さい鋭角になる。
【００６０】
ロック状態では、この鋭角になる側のロック片３３の一側面が同じ側にある受溝４１の溝開口外周縁４１ａに、先端部分３１が僅かに受溝４１から抜け始めて横向きに傾き始めると同時に先に当接する。これにより、先端部分３１はそれ以上横向きに傾くことができず、抜け出るに必要な或る角度に達せず、開閉作動部材３の先端部分３１は開閉作動部材３の受溝４１から抜け出ることができなくなる。このようにして、開閉作動部材３の先端部分３１が開閉作動部材３の受溝４１から抜け出るのを阻止するのである。
【００６１】
このように、単に開閉作動部材３の把持部３２を手元側に引くという動作のみで、簡単に扉体１の周縁の縁枠桁１ｂを枠体１２に圧着させて、扉体１の水密性を計ることができ、緊急時には非常に短い時間で、水門を閉めることができるのである。
【００６２】
一方、閉じていた扉体１を開く場合は、前述の閉じる動作と逆の順序で行う。
即ち、上向きの開閉作動部材３の把持部３２を掴んで横向きに所定の回動角度、例えば９０度回して、ロック状態を解除する。そのあと、開閉作動部材３の把持部３２を扉体１の裏面１ａ側に向けて押して水平向きに回動させる。
【００６３】
この動作により、開閉作動部材受片４の受溝４１内に挿入係合されていた開閉作動部材３の先端部分３１は抜け出る。開閉作動部材３の把持部３２を開閉作動部材取付具２の側方に平行になる位置まで回動させ、そのあと開閉作動部材取付具２をその基端側の垂直軸２４を中心に扉体１の裏面１ａ側に向けて回動させる。
【００６４】
扉体１の裏面１ａには取付具着脱係止片５が水平状態で後方に向いていて、回動する開閉作動部材取付具２の上板片２１の一側端面が、取付具着脱係止片５の先端の鉤片５１の外角側５１ｃに当接する。取付具着脱係止片５の鉤片５１の外角側５１ｃは、水平状態で扉体１の裏面１ａ側に向けて斜め下向きの傾斜面に形成されているため、開閉作動部材取付具２の上板片２１の一側端面が当接すると、取付具着脱係止片５は、先端の鉤片５１がその外角側５１ｃの傾斜面に沿って基端側５２を中心に上向きには回動して押し上げられる。
【００６５】
そして、取付具着脱係止片５の鉤片５１の下向きに曲がっている下端の突端５１ｂを、開閉作動部材取付具２の上板片２１の幅方向が通過すると、取付具着脱係止片５の先端５１の下向きに曲がっている下端の突端５１ｂは上板片２１の遠い側の側端面側に下りる。これにより、開閉作動部材３を取り付けた開閉作動部材取付具２は、取付具着脱係止片５により扉体１の裏面１ａ側に自動的に係止されることになる。
【００６６】
扉体１の裏面１ａ側に開閉作動部材取付具２を係止した後、扉体係止片１３の先端側を持ち上げ、扉体１の把手１ｄを掴んで、扉体１を１８０度横向きに全開し、扉体係止片１３の先端側の下面に形成された係止溝１３ａを上側から下ろして扉体１の把手１ｄに係合させることで、扉体１は開いた状態に保持されることになる。
【００６７】
なお、この考案は上記考案を実施するための形態に限定されるものではなく、この考案の精神を逸脱しない範囲で種々の改変をなし得ることは勿論である。
【符号の説明】
【００６８】
１    扉体
１ａ  裏面
１ｂ  縁枠桁
１ｃ  水密ゴム
１ｄ  把手
１１    蝶番
１２    枠体
１３    扉体係止片
１３ａ  係止溝
１４    軸受け
２    開閉作動部材取付具
２１    上板片
２２    下板片
２３    連結盤
２３ａ  連結軸
２４    垂直軸
２４ａ  軸受片
２５    作動部材軸受可動盤
２５ａ  軸孔
３    開閉作動部材
３１    先端部分
３２    把持部
３３    ロック片
４    開閉作動部材受片
４１    受溝
４１ａ  溝開口外周縁
４２    収納所
４３    回動軸
４４    突起片
５    取付具着脱係止片
５１    鉤片
５１ａ  内角側
５１ｂ  突端
５１ｃ  外角側
５２    基端側
５３    軸受け
５３ａ  下板
【図１】
0003204475.tif 000003
【図２】
0003204475.tif 000004
【図３】
0003204475.tif 000005
【図４】
0003204475.tif 000006
【図５】
0003204475.tif 000007
【図６】
0003204475.tif 000008
【図７】
0003204475.tif 000009
【図８】
0003204475.tif 000010
【図９】
0003204475.tif 000011
【図１０】
0003204475.tif 000012